(57)【要約】【課題】無段変速モードと固定変速比モードとを有する変速機において、固定変速比モードにおいてもエンジントルク及びブレーキ部トルクを精度良く検出する。【解決手段】ドグクラッチ機構は回転要素と固定要素が相互に係合するように構成されている。回転要素には複数の回転側ドグ歯が設けられ、固定要素には同数の固定側ドグ歯が設けられている。また、固定側ドグ歯の少なくとも１つには、回転側ドグ歯と接触する両端部に一対の圧力検出部が設けられる。圧力検出部は、回転側ドグ歯と固定側ドグ歯とが噛み合った状態で、回転側ドグ歯から与えられる圧力を検出する。検出される圧力値の差と、ドグ歯の数などに基づいて、固定要素に作用するトルクを算出することができる。【選択図】図３
2009127838.tif 000002
【特許請求の範囲】
【請求項１】
複数の回転側ドグ歯を有する回転要素と、複数の固定側ドグ歯を有する固定要素とを係合するドグクラッチ機構と、
複数の固定側ドグ歯又は固定側ドグ歯の少なくとも１つに設けられ、当該ドグ歯の係合相手となるドグ歯と接触する両端部に設けられた一対の圧力検出部と、
前記一対の圧力検出部から出力される圧力の差に基づいて、前記固定要素に作用するトルクを算出するトルク算出手段と、を備えることを特徴とするドグクラッチ機構のトルク算出装置。
【請求項２】
前記回転要素はエンジンの回転に伴って回転し、
前記ドグクラッチ機構は、前記固定要素に作用するトルクと、前記エンジンのトルクとの比が一定となる駆動装置に設けられており、
前記トルク算出手段は、前記固定要素に作用するトルクに基づいて、前記エンジンのトルクを算出することを特徴とする請求項１に記載のトルク算出装置。
【発明の詳細な説明】
【技術分野】
【０００１】
本発明は、ハイブリッド車両に好適な変速機の制御装置に関する。
【背景技術】
【０００２】
内燃機関に加えて、電動機やモータジェネレータなどの動力源を備えるハイブリッド車両が既知である。ハイブリッド車両では、内燃機関を可及的に高効率状態で運転する一方、駆動力やエンジンブレーキ力の過不足を電動機又はモータジェネレータで補う。
【０００３】
上記のようなハイブリッド車両において、無段変速モードと固定変速比モードとを切り替えて運転することが可能なように構成された変速機構の例が特許文献１に記載されている。具体的には、２つの遊星歯車機構を組み合わせて４つの回転要素を有する動力分配機構が構成され、４つの回転要素がそれぞれエンジン、第１のモータジェネレータ、出力軸及びブレーキに接続される。ブレーキを解放した状態では、第１のモータジェネレータの回転数を連続的に変化させることにより、エンジンの回転数が連続的に変化し、無段変速モードでの運転が実行される。一方、ブレーキを固定した状態では、上記の回転要素の１つの回転が阻止されることにより変速比が固定となり、固定変速比モードでの運転が実行される。また、無段変速モードと固定変速比モードとを切り替える変速機構は、従来の湿式多板クラッチではなく、ドグ歯を有する電磁クラッチを利用した回転位相同期変速制御によるものが知られている。
【０００４】
【特許文献１】特開２００４−３４５５２７号公報
【発明の開示】
【発明が解決しようとする課題】
【０００５】
上記のような変速機構において、無段変速モードでは第１のモータジェネレータがエンジンの反力を受ける。よって、第１のモータジェネレータが受けるエンジン反力とギア比とからエンジントルクを推定することが可能である。一方、ブレーキを固定した固定変速比モードでは、第１のモータジェネレータはエンジン反力を受けていないので、エンジントルクを正確に推定することができない。また、ブレーキにかかるトルクも検出できない。このため以下のような問題が生じる。
【０００６】
第１の問題として、エンジントルクを正確に推定できないと、エンジントルクを用いて行われる各種の制御が精度良く行えないことになる。具体的には、まず、車両の走行状態に応じて一時的にバッテリ出力を増加させる処理を精度良く行うことができない。また、エンジンが出力しているトルクであるエンジン直行トルクを算出できないため、モータ要求トルクを精度良く算出することができず、走行性能が低下する。また、バッテリ充放電制御を精度良く行うことができないため、バッテリが過充電又は過放電状態となる恐れがある。また、エンジントルクの低下を判定して異常を検出する処理が精度良く行えない。さらには、エンジン自律制御時のスロットル開度を算出する処理が精度良く行えず、走行性能が低下する。
【０００７】
第２の問題として、ブレーキ部に作用するトルクが検出できないため、変速機構が固定変速比モードに入らない異常を検出することができない。具体的には、無段変速モードから固定変速比モードへの移行時に、電磁クラッチのドグ歯を係合する際の位相同期制御及び回転同期制御がうまく行えず、ドグ歯を噛み合わせることができないことがある。また、回転側ドグ歯を固定側ドグ歯へ押しつけるためのソレノイドなどの機構の異常によりドグ歯が外れてしまう恐れがある。
【０００８】
第３の問題として、固定変速比モードを解除する際にうまくクラッチを解放することができないという問題がある。固定変速比モードを解除するためには、ブレーキ部にかかるトルクがゼロとなるように第１のモータジェネレータのトルクを制御してから、ブレーキを解放しなければならない。しかし、ブレーキ部のトルクを精度良く検出することができないため、第１のモータジェネレータのトルクを適切な制御値とすることができない、固定変速比モードの解除に時間を要する、固定変速比モードの解除時にショックが発生するなどの問題が発生し、燃費性能やドライバビリティ性能が悪化する。
【０００９】
本発明は、上記のような課題を解決するためになされたものであり、無段変速モードと固定変速比モードとを有し、ドグ歯を有するクラッチを利用した変速機において、固定変速比モードにおいてもエンジントルク及びブレーキ部トルクを精度良く検出することを目的とする。
【課題を解決するための手段】
【００１０】
本発明の１つの観点では、ドグクラッチ機構のトルク算出装置は、複数の回転側ドグ歯を有する回転要素と、複数の固定側ドグ歯を有する固定要素とを係合するドグクラッチ機構と、複数の固定側ドグ歯又は回転側ドグ歯の少なくとも１つに設けられ、当該ドグ歯の係合相手となるドグ歯と接触する両端部に設けられた一対の圧力検出部と、前記一対の圧力検出部から出力される圧力の差に基づいて、前記固定要素に作用するトルクを算出するトルク算出手段と、を備える。
【００１１】
上記のトルク算出装置では、ドグクラッチ機構は回転要素と固定要素が相互に係合するように構成されている。回転要素には複数の回転側ドグ歯が設けられ、固定要素には同数の固定側ドグ歯が設けられている。また、固定側ドグ歯又は回転側ドグ歯の少なくとも１つには、そのドグ歯が係合する相手となるドグ歯と接触する両端部に一対の圧力検出部が設けられる。即ち、圧力検出部は、固定側ドグ歯に設けられる場合には、それが係合する相手となる回転側ドグ歯と接触する両端部に設けられる。また、圧力検出部は、回転側ドグ歯に設けられる場合には、それが係合する相手となる固定側ドグ歯と接触する両端部に設けられる。圧力検出部は、回転側ドグ歯と固定側ドグ歯とが噛み合った状態で、係合の相手となるドグ歯から与えられる圧力を検出する。回転要素にはトルクが付与されているため、一対の圧力検出部に検出される圧力値は、回転要素によるトルクの作用する方向に応じて大小関係が決まる。また、検出される圧力値の差と、ドグ歯の数などに基づいて、固定要素に作用するトルクを算出することができる。
【００１２】
上記のトルク算出装置の一態様では、前記回転要素はエンジンの回転に伴って回転し、前記ドグクラッチ機構は、前記固定要素に作用するトルクと、前記エンジンのトルクとの比が一定となる駆動装置に設けられており、前記トルク算出手段は、前記固定要素に作用するトルクに基づいて、前記エンジンのトルクを算出する。
【００１３】
この態様では、ドグクラッチ機構は、前記固定要素に作用するトルクと、前記エンジンのトルクとの比が一定となる駆動装置に設けられている。よって、固定要素に作用するトルクに基づいてエンジントルクを算出することができる。
【発明を実施するための最良の形態】
【００１４】
以下、図面を参照して本発明の好適な実施の形態について説明する。
【００１５】
図１に本発明を適用したハイブリッド装置の駆動装置の概略構成を示す。図１の例は、機械分配式２モータ型と称されるハイブリッド装置であり、エンジン１、第１のモータジェネレータＭＧ１、第２のモータジェネレータＭＧ２、動力分配機構２０、を備える。動力源に相当するエンジン１と、回転数制御機構に相当する第１のモータジェネレータＭＧ１とが動力分配機構２０に連結されている。動力分配機構２０の出力軸３には、駆動トルク又はブレーキ力のアシストを行うための副動力源である第２のモータジェネレータＭＧ２が、ＭＧ２変速部６を介して連結されている。さらに、出力軸３は最終減速機８を介して左右の駆動輪９に連結されている。第１のモータジェネレータＭＧ１と第２のモータジェネレータＭＧ２とは、バッテリー、インバータ、又は適宜のコントローラ（図示せず）を介して、もしくは直接的に電気的に接続され、第１のモータジェネレータＭＧ１で生じた電力で第２のモータジェネレータＭＧ２を駆動するように構成されている。
【００１６】
エンジン１は燃料を燃焼して動力を発生する熱機関であり、ガソリンエンジン、ディーゼルエンジンなどが挙げられる。第１のモータジェネレータＭＧ１はエンジン１からトルクを受けて回転することにより主として発電を行うものであり、発電に伴う反力トルクが作用する。第１のモータジェネレータＭＧ１の回転数を制御することにより、エンジン１の回転数が連続的に変化する。このような変速モードを無段変速モードという。無段変速モードは、後述する動力分配機構２０の差動作用により実現される。
【００１７】
第２のモータジェネレータＭＧ２は、駆動トルク又はブレーキ力を補助（アシスト）する装置である。駆動トルクをアシストする場合、第２のモータジェネレータＭＧ２は電力の供給を受けて電動機として機能する。一方、ブレーキ力をアシストする場合には、第２のモータジェネレータＭＧ２は、駆動輪９から伝達されるトルクにより回転させられて電力を発生する発電機として機能する。
【００１８】
図２は、図１に示す第１及び第２のモータジェネレータＭＧ１及びＭＧ２、並びに動力分配機構２０の構成を示す。
【００１９】
動力分配機構２０は、エンジン１の出力トルクを第１のモータジェネレータＭＧ１と出力軸３とに分配する機構であり、差動作用を生じるように構成されている。具体的には複数組の差動機構を備え、互いに差動作用を生じる４つの回転要素のうち、第１の回転要素にエンジン１が連結され、第２の回転要素に第１のモータジェネレータＭＧ１が連結され、第３の回転要素に出力軸３が連結され、第４の回転要素にドグクラッチ５が接続される。ドグクラッチ５を解放した状態では、第１のモータジェネレータＭＧ１の回転数を連続的に変化させることによりエンジン１の回転数が連続的に変化し、無段変速モードが実現される。一方、ドグクラッチ５を係合して第４の回転要素を固定すると、動力分配機構２０により決定される変速比がオーバードライブ状態（即ち、エンジン回転数が出力回転数より小さくなる状態）に固定され、固定変速比モードが実現される。
【００２０】
本実施形態では、図２に示すように、動力分配機構２０は、２つの遊星歯車機構を組み合わせて構成される。第１の遊星歯車機構はリングギヤ２１、キャリア２２、サンギヤ２３を備え、第２の遊星歯車機構はリングギヤ２５、キャリア２６、サンギヤ２７を備える。
【００２１】
エンジン１の出力軸２は第１の遊星歯車機構のキャリア２２に連結され、そのキャリア２２は第２の遊星歯車機構のリングギヤ２５に連結されている。これらが第１の回転要素を構成する。第１のモータジェネレータＭＧ１のロータ１１は第１の遊星歯車機構のサンギヤ２３に連結され、これらが第２の回転要素を構成している。
【００２２】
第１の遊星歯車機構のリングギヤ２１と第２の遊星歯車機構のキャリア２６は相互に連結されているとともに出力軸３に連結されている。これらが第３の回転要素を構成している。また、第２の遊星歯車機構のサンギヤ２７は第４の回転要素に対応し、ドグクラッチ５を介してブレーキ部７に連結している。
【００２３】
図３に、動力分配機構２０の固定変速比モードにおける共線図を示す。固定変速比モードでは、ドグクラッチ５を係合することによりブレーキ部７が固定される。図３において、エンジントルクを「Ｔｅ」、ブレーキ部７にかかるトルクであるブレーキ部トルクを「Ｔｂｋ」、動力配分機構２０の構成により決まるギア比を「ρ」とすると、エンジントルクＴｅは以下の式で与えられる。
【００２４】
Ｔｅ  ＝  −（１＋ρ）×Ｔｂｋ                          （１）
よって、固定変速比モードでは、ブレーキ部トルクＴｂｋを検出すれば、式（１）によりエンジントルクを算出することができる。
【００２５】
図４（ａ）にドグクラッチ５の構成例を模式的に示す。この例では、ドグクラッチ５は固定部５３ａと、回転部５３ｂとを備えて構成される。回転部５３ｂは図２に示す第２の遊星歯車機構のサンギヤ２７に連結されており、第４の回転要素であるサンギヤ２７の回転に従って回転する。固定部５３ａはブレーキ部７に固定されている、図中の矢印１２２のように、回転部５３ｂは軸方向に移動（ストローク）可能に構成されており、回転部５３ｂを図示しないアクチュエータなどを用いて矢印１２２方向に移動させることにより、回転部５３ｂを固定部５３ａに係合し、クラッチをオン状態とする。また、アクチュエータを矢印１２２と逆方向に移動させることにより、回転部５３ｂと固定部５３ａの係合を解放し、クラッチをオフ状態とする。
【００２６】
固定部５３ａ及び回転部５３ｂは、それぞれ複数のドグ歯５５を備えている。固定部５３ａの複数のドグ歯５５のうちの１つには、一対の圧力検出素子５５ａ、５５ｂが設けられている。
【００２７】
図４（ｂ）は、圧力検出素子が設けられたドグ歯５５の斜視図である。図示のように、固定部５３ａの１つのドグ歯５５には、回転部５３ｂのドグ歯と当接する位置に圧力検出素子（圧力センサ）５５ａ、５５ｂが設けられている。なお、図４（ｂ）において、圧力検出素子５５ａ、５５ｂはともにドグ歯５５の外面に設けられている。よって、回転部５３ｂと固定部５３ａとが係合し、複数のドグ歯５５が相互に噛み合った場合、各圧力検出素子５５ａ、５５ｂは、それらが当接する回転部５３ｂ側のドグ歯から圧力を受ける。よって、圧力検出素子５５ａ、５５ｂが検出する圧力に基づいて、ブレーキ部トルクを検出することができる。
【００２８】
いま、固定部５３ａ及び回転部５３ｂの半径をｒ［ｍ］とし、固定部５３ａに設けられたドグ歯５５の数をｎ［個］とし、圧力検出素子５５ａ及び５５ｂの面積をＳ［ｃｍ２］とし、各圧力検出素子５５ａ、５５ｂが出力する圧力値をＰａ［Ｎ／ｃｍ２］、Ｐｂ［Ｎ／ｃｍ２］とする。Ｐａ＞Ｐｂのときブレーキ部トルクＴｂｋが正の値であるとすると、ブレーキ部トルクＴｂｋ［Ｎｍ］は以下の式により得られる。
【００２９】
Ｔｂｋ＝（Ｐａ−Ｐｂ）×Ｓ×ｎ×ｒ                          （２）
このように、本実施形態では、ドグクラッチ５のドグ歯５５に一対の圧力検出素子を設け、それらが検出する圧力値に基づいてブレーキ部トルクＴｂｋを算出することができる。また、ブレーキ部トルクＴｂｋが得られると、前述の式（１）により、エンジントルクを算出することができる。こうして、固定変速比モードにおいても、ブレーキ部トルク及びエンジントルクを精度良く検出（推定）することが可能となる。
【００３０】
このように、エンジントルクを精度良く検出（推定）することができるので、以下の利点が得られる。
【００３１】
第１に、走行状態に応じて一時的にバッテリ出力を増加させる処理を精度良く行うことができるので、走行性能を確保することができる。この処理は、具体的には、アクセル開度が大であり、かつ、ドライバーの要求パワーが現在出力可能なパワー、即ち、「エンジン要求パワー＋定常出力パワー」より大きいとき、バッテリ出力一時アップ要求が発生したと判断するものであり、エンジン要求パワーの算出にエンジントルクが使用される。
【００３２】
第２に、モータ要求トルクの算出処理を、精度を落とさずに行うことができるため、走行性能を確保することができる。これは、モータ要求トルクは「出力軸要求トルク−エンジン直行トルク」により計算され、エンジン直行トルクは推定エンジントルクにより算出されるからである。また、モータ要求トルクが高精度で算出できると、モータ要求トルクを調整することにより実行されるバッテリ充放電制御も精度良く行えることになる。
【００３３】
第３に、エンジントルク低下判定による異常検出処理を精度良く行うことができる。異常検出処理では、推定エンジントルクが所定の判定値未満の状態が一定以上継続した場合、エンジン出力が異常であると判定する。よって、推定エンジントルクの精度により、異常検出処理の精度が確保される。
【００３４】
第４に、エンジン自律制御時のスロットル開度算出処理を精度良く行うことができる。エンジン自律制御実行中は、目標エンジン回転数と推定エンジントルクに基づいて電子制御スロットルの開度が算出される。よって、推定エンジントルクの精度により、スロットル開度算出処理の精度を確保することができる。
【００３５】
（ブレーキ部ロック異常判定処理）
次に、固定変速比モード時のブレーキ部ロック異常判定処理について説明する。ここで、ブレーキ部ロック異常判定処理とは、固定変速比モードの実行中において、上記の方法で検出されたブレーキ部トルクを利用して、ドグクラッチによるブレーキ部の係合が正常な状態であるか否かを判定する処理である。
【００３６】
固定変速比モードの正常状態においては、上述のようにドグクラッチ５が係合しており、第４の回転要素の回転をブレーキ部７により強制的に固定（ロック）している状態となる。このため、ブレーキ部には第４の回転要素の回転を阻止するようなトルクが作用しており、検出されるブレーキ部トルクＴｂｋはゼロ以外の値となる。逆に、固定変速比モードが設定されているにも拘わらずブレーキ部トルクＴｂｋがゼロであるということは、ドグクラッチ５の係合が外れている、即ちロック異常が発生していると推定することができる。以下、この処理について具体的に説明する。
【００３７】
図５は、固定変速比モード時のブレーキ部ロック異常判定処理のフローチャートである。この処理は主として図示しないＥＣＵにより実行される。まず、ＥＣＵは、変速機構が固定変速比モードに設定されているか否かを判定する（ステップＳ１０１）。固定変速比モードでない場合（ステップＳ１０１；Ｎｏ）、処理は終了する。
【００３８】
固定変速比モードである場合（ステップＳ１０１；Ｙｅｓ）、ＥＣＵはエンジン回転数を検出し、エンジンが回転中であるか否か、即ちエンジン回転数がゼロでないかを判定する（ステップＳ１０２）。エンジンが回転中でない場合（ステップＳ１０２；Ｎｏ）、処理は終了する。一方、エンジンが回転中である場合（ステップＳ１０２；Ｙｅｓ）、ＥＣＵは前述の方法でブレーキ部トルクＴｂｋを検出し、ブレーキ部トルクＴｂｋがゼロでないかどうかを判定する（ステップＳ１０３）。ブレーキ部トルクＴｂｋがゼロでない場合、ドグクラッチ５が正常に係合し、第４の回転要素がブレーキ部７によりロックされていると考えられるので、ＥＣＵは、ロック状態は正常であると判定し（ステップＳ１０４）、処理を終了する。一方、ブレーキ部トルクＴｂｋがゼロである場合（ステップＳ１０３；Ｎｏ）、ＥＣＵはドグクラッチ５が外れているロック異常状態であると判定し（ステップＳ１０５）、処理を終了する。
【００３９】
このように、圧力検出素子を利用してブレーキ部トルクを検出することにより、固定変速比モードにおいて、ブレーキ部のロック異常を検出することが可能となる。
【００４０】
（ブレーキ部解放制御）
次に、固定変速比モード解除時のブレーキ部解放制御について説明する。この制御は、固定変速モードを解除する際に、ドグクラッチ５の係合を解除し、ブレーキ部によるロックを解放するものである。固定変速比モードにおいては、上述のようにドグクラッチ５の回転部５３ｂと固定部５３ａとが係合しており、固定変速比モードを解除するときにはドグクラッチ５を解放する必要がある。しかし、固定変速比モードでの通常の動作中は、ブレーキ部にトルクがかかっているため、そのままではドグクラッチ５を解放することができない。そこで、ＥＣＵは、圧力検出素子５５ａ、５５ｂからの出力に基づいて検出したブレーキ部トルクＴｂｋを監視し、ブレーキ部トルクＴｂｋがゼロとなるように制御した上で回転部５３ｂを移動させ、ドグクラッチ５の係合を解放する。
【００４１】
図６は、ブレーキ部解放制御のフローチャートである。まず、ＥＣＵは、変速機構が固定変速比モードに設定されているか否かを判定する（ステップＳ２０１）。固定変速比モードでない場合（ステップＳ２０１；Ｎｏ）、処理は終了する。
【００４２】
固定変速比モードである場合（ステップＳ２０１；Ｙｅｓ）、ＥＣＵはブレーキ部の解放要求があるか否かを判定する（ステップＳ２０２）。これは、具体的には、ドライバーの要求トルク、車速、エンジン回転数などに基づいて、固定変速比モードを解除する条件が成立したか否かを判定することにより行われる。ブレーキ部解放要求がない場合（ステップＳ２０２；Ｎｏ）、処理は終了する。
【００４３】
ブレーキ部解放要求がある場合（ステップＳ２０２；Ｙｅｓ）、ＥＣＵは、上述の方法で検出したブレーキ部トルクＴｂｋがゼロであるか否かを判定する（ステップＳ２０３）。ブレーキ部トルクＴｂｋがゼロである場合、ドグクラッチ５のドグ歯には摩擦がないので、ＥＣＵはドグクラッチ５の係合を解除し、ブレーキ部を解放する（ステップＳ２０４）。具体的には、ＥＣＵは図示しないアクチュエータを作動させてドグクラッチ５の回転部５３ｂを固定部５３ａから遠ざける方向に移動させ、係合を解除する。
【００４４】
一方、ブレーキ部トルクがゼロでない場合（ステップＳ２０３）、ＥＣＵは、ブレーキ部トルクが正（＞０）であるか否かを判定する（ステップＳ２０５）。ブレーキ部トルクが正である場合、ＥＣＵは、ブレーキ部トルクを低下させてゼロとするように第１のモータジェネレータＭＧ１のトルクを制御する（ステップＳ２０６）。なお、この際のモータジェネレータＭＧ１のトルク制御量は、動力伝達機構２０により決定されるギア比を考慮して算出される。逆にブレーキ部トルクが負である場合、ＥＣＵは、ブレーキ部トルクを増加させてゼロとするように第１のモータジェネレータＭＧ１のトルクを制御する（ステップＳ２０７）。
【００４５】
こうして、ブレーキ部トルクがゼロとなるまで、処理が繰り返し実行され、ブレーキ部トルクがゼロになってときに、ステップＳ２０４においてブレーキ部が解放される。
【００４６】
このように、ブレーキ部トルクをゼロにしてからブレーキ部の解放を行うことにより、固定変速比モードの解除時において、第１のモータジェネレータＭＧ１の負荷を最小限に抑えることができる、解除処理を最小限の時間で行うことができる。解除時のショックを低減できるなどの利点が得られ、それにより燃費性能、ドライバビリティ性能が向上する。
【００４７】
［変形例］
上記のドグクラッチでは、固定部５３ａの１つのドグ歯５５に圧力検出素子５５ａ、５５ｂを設けているが、複数のドグ歯５５に圧力検出素子を設け、それらの出力の平均値などを使用してブレーキ部トルクを算出することとしてもよい。
【００４８】
また、上記のドグクラッチでは、固定部５３ａのドグ歯５５に圧力素子５５ａ、５５ｂを設けているが、その代わりに、回転部５３ｂのドグ歯５５に圧力素子を設けてもよい。
【図面の簡単な説明】
【００４９】
【図１】実施形態によるハイブリッド装置の概略構成を示す。
【図２】モータジェネレータ及び動力分配機構の構成を示す。
【図３】固定変速比モードにおける共線図を示す。
【図４】ドグクラッチの構造を示す。
【図５】ブレーキ部ロック異常判定処理のフローチャートである。
【図６】ブレーキ部解放制御のフローチャートである。
【符号の説明】
【００５０】
１  エンジン
３  出力軸
５  ドグクラッチ
７  ブレーキ部
２０  動力分配機構
５５  ドグ歯
５５ａ、５５ｂ  圧力検出素子
【図１】
2009127838.tif 000003
【図２】
2009127838.tif 000004
【図３】
2009127838.tif 000005
【図４】
2009127838.tif 000006
【図５】
2009127838.tif 000007
【図６】
2009127838.tif 000008